(57)【特許請求の範囲】
【請求項１】
左右側の少なくとも一側部に空気入口を有し、上板、底板、前後面板、左右側板よりなるケーシング内に、上下部に配した前後方向のロールに掛けられて、前記空気入口を遮って回走するエンドレス濾材を備え、この濾材を通過した空気の出口をケーシングの前面部に有し、かつ濾材に付着した粉粒体を濾材から離脱せしめる粉粒体除去装置を備え、また、各ロールの端部外周に溝を形成するとともに、この溝と長手方向に一致する溝を濾材内側との対向面に形成したシール材がケーシングの前後面板の内側に固定した支持板に設けられ、濾材の端部内側に設けたベルトがロール及びシール材の溝に嵌まり、かつ濾材端部の外側面を押圧するテンションローラを備え、各ロールの端部に、濾材との接触面に濾材のベルトが嵌まる溝が形成されていて、しかも前記支持板に固定したシール用ブロックを設けて、このシール用ブロックにて前記ロールが濾材と接する部分を除くロール端部を囲んでなる粉粒物回収装置。
【請求項２】
前記粉粒体除去装置が、回転軸に羽根を有し、回転軸が駆動装置によって回転させられて羽根が濾材を殴打する構成のものである請求項１に記載の粉粒物回収装置。
【発明の詳細な説明】
【０００１】
【発明の属する技術分野】
本発明は空気中に含まれる粉粒体を除去して回収する装置に関し、粉塵に限らず、例えば人工雪による耐雪試験装置における雪が風（空気）とともに送られる風洞の適所に配して、風の中の雪を除去、回収するのに使用する。
【０００２】
【従来の技術とその問題点】
粉粒体の除去、回収装置にはサイクロン方式のものが使用されている。しかしサイクロン方式の装置ではサイクロン発生塔が高さの大なるものとなり、ために占有空間が大となるデメリットがあり、また装置の製造コストが高くなる。
【０００３】
また、被処理空気に渦巻き求心上昇気流を発生させるので、送風の圧力損失が大となり、ために送風機には能力の大なるものを必要とし、ランニングコストが高くなるというデメリットもある。
【０００４】
【目的】
本発明はサイクロン方式の従来の装置におけるデメリットが解消され、設置スペースを節約でき、製造コストを低減化でき、圧力損失も少なくて、ランニングコストを小ならしめ得る粉粒物回収装置を提供できるようにした。
【０００５】
【本発明の構成】
上記目的を達成するために、本発明に係る粉粒物回収装置は、左右側の少なくとも一側部に空気入口を有し、上板、底板、前後面板、左右側板よりなるケーシング内に、上下部に配した前後方向のロールに掛けられて、前記空気入口を遮って回走するエンドレス濾材を備え、このエンドレス濾材を通過した空気の出口をケーシングの前面部に有し、かつエンドレス濾材に付着した粉粒体をエンドレス濾材から離脱せしめる粉粒体の除去装置を備え、また、各ロールの端部外周にＶベルト用の溝を形成するとともに、このＶベルト用の溝と長手方向に一致するＶベルト用の溝をエンドレス濾材内側との対向面に形成したシール材がケーシングの前後面板の内側に固定した支持板に設けられ、エンドレス濾材の端部内側に設けたベルトがロール及びシール材の各Ｖベルト用の溝に嵌まり、かつエンドレス濾材端部の外側面を押圧するテンションローラを備え、各ロールの端部に、エンドレス濾材との接触面にエンドレス濾材のベルトが嵌まるＶベルト用の溝が形成されていて、しかも前記支持板に固定したシール用ブロックを設けて、このシール用ブロックにて前記ロールがエンドレス濾材と接する部分を除くロール端部を囲んだものとしてあり、また、前記粉粒体の除去装置は、回転軸に羽根を有し、回転軸が駆動装置によって回転させられて羽根がエンドレス濾材を殴打する構成のものとしてある。
【０００６】
【実施例】
以下本発明を添付図面に示す実施例により説明する。
図１は本発明に係る粉粒物回収装置のユニットＡの基本構成を後方からみた斜視図で、符号１はそのケーシングを示し、上板、底板、前後面板、左右側板からなり、左右側板にそれぞれ空気入口２を有し、前面板には空気出口３を設けてある。
なお、空気入口２は左右側板の一方のものに設ける場合もある。
【０００７】
ケーシング内には左右の上部及び下部にそれぞれロール４を前後方向の軸線まわりに回転できるように設けてあり、これらのロールによって回走されるエンドレス濾材５がロールに掛けられている。かくして左右の各空気入口２からの空気はエンドレス濾材の左右走行部を通る際に粉粒物が濾材によって除去され、粉粒物が除去された空気は空気出口３から排気される。
【０００８】
エンドレス濾材５における下部走行部５ａ上には、エンドレス濾材に付着している粉粒物をエンドレス濾材から離脱せしめる粉粒体の除去装置６を設けてある。この粉粒体の除去装置６は、例えば図示のように、前後方向の軸線まわりに回転させられる軸７に複数枚の羽根８を設けたものとしてあって、エンドレス濾材の下部走行部の下面に付着している粉粒物を、回転する羽根がエンドレス濾材の下部走行部を通るときの衝撃によっていわば叩き落とすようにしてあり、粉粒物はケーシング内底の粉粒物回収用のトレー３０等に回収されるようにしてある。
【０００９】
エンドレス濾材５を回走させる駆動装置には種々の手段のものがあるが、一例として図２のように、モータＭａにより動力伝達機構（例えばモータプーリもしくはスプロケット９に掛けたベルトもしくはチェン１０を上部の左右いずれか一方のロール４のプーリもしくはスプロケット１１へ掛けた機構）を介して上部ローラを回転駆動させる。また、粉粒体の除去装置６は、図３のようにモータＭｂにより動力伝達機構（例えばモータプーリもしくはスプロケット１２に掛けたベルトもしくはチェン１３を粉粒体の除去装置６の軸７のプーリもしくはスプロケット１４に掛けた機構）による駆動装置にて回転駆動させられるようにしてある。
【００１０】
エンドレス濾材５の前後端部の内面にはそれぞれ２本のＶベルト１５を取り付けてあり、Ｖベルト１５は各ロールの端部外周に形成したＶベルト用の溝１６に嵌まっているとともに、エンドレス濾材５の前後端部の内面と相対するシール材１７のＶベルト用の溝１８へ滑動可能に嵌まっており、シール材１７は低摩擦係数の材質のもので、ケーシングの内面に固定した支持板１９に取り付けられている。
【００１１】
しかしてエンドレス濾材５の前後端部の外側はテンションローラ２０によって押されてＶベルト１５がシール材１７のＶベルト用の溝１８内へ密ではあるが滑れるように、あるいはＶベルト用の溝１８内とはわずかの隙間はあるがラビリンスシール機能を有するようにシール材１７内に嵌められるようにしてあり、テンションローラの支持体２１はケーシングの内側に取り付けてある。なお、テンションローラ２０は適宜のばね機構によりエンドレス濾材５への押圧力が付与されており、押圧力付与機構は種々あるので、その説明は省略する。
【００１２】
各ロール４の端部はシール用ブロック２２のブロックの凹部２３に滑動可能に嵌めてあって、このシール用ブロックはシール材１７用の前記支持板１９に取り付けられている。シール用ブロック２２のブロックの凹部２３はロール４がエンドレス濾材と接する部分（ロールの円弧角にして９０度）を残してロールの端部を囲んでおり、シール用ブロック２２のエンドレス濾材５と接する面にはＶベルト１５が嵌まるＶベルト用の溝２４を形成してある。
【００１３】
図９、１０はユニット収容ハウジング２５内に回収装置のユニットＡを２基設けた例を示す。この実施例ではハウジング入口２６からの空気中の中央部の空気は中央通路２７から各ユニットＡ、Ａ内にユニットと対向する面のエンドレス濾材５を通って入り、各空気出口３から次の工程部、たとえば人工雪による対雪試験装置の風洞部２９へ排風される。
【００１４】
ハウジング入口２６からの左右両側の空気は左右通路２８によりユニット収容ハウジング２５の左右側板と各ユニットとの間に入り、エンドレス濾材５の外側の面を通って各ユニットに入って各空気出口３から排風される。しかして各ユニットＡ、Ａはエンドレス濾材５により粉粒物を捕集し、捕集された粉粒物は粉粒体の除去装置６によって各エンドレス濾材５から離脱させられ、回収される。なお、送風機はたとえば風洞の適所に設けてあり、風洞内の送風機による循環空気がユニットを通過する。
【００１５】
【作用・効果】
空気入口２からケーシング１内に流入した被処理空気はエンドレス濾材５を通るが、濾材通過時に被処理空気中の粉粒物はエンドレス濾材５により捕集され、粉粒物が除去された処理空気は空気出口３から排風される。しかしてエンドレス濾材５に捕集された粉粒物は粉粒体の除去装置６によりエンドレス濾材５から離脱させられて回収される。
【００１６】
したがって、従来から使用されているサイクロン方式の回収装置のように、高さの大なるサイクロン発生塔を設ける必要がなくて設置スペースを節約できるとともに製造コストを低減化でき、しかも被処理空気に特殊な気流を発生させる必要もなくて送風の圧力損失が小であり、ランニングコストを小ならしめることができる。
【００１７】
また、エンドレス濾材５の端部内側に設けたベルト１５がロール４外周のＶベルト用の溝１６、シール材１７のＶベルト用の溝１８およびシール用ブロック２２のＶベルト用の溝２４に嵌められ、かつエンドレス濾材５は外側からテンションローラ２０によって内側方向へ押圧されているので、エンドレス濾材５端部から被処理空気中の粉粒物が処理空気側へ漏れるようなことは殆どなく、粉粒物はエンドレス濾材５により確実に捕集される。さらに、エンドレス濾材５を交換することにより回収する粉粒物の径を自由に選択することができる。
【図面の簡単な説明】
【図１】本発明に係る粉粒物回収装置のユニットを後方から示す斜視図。
【図２】同ユニットの上部を拡大して示す縦断面図。
【図３】同ユニットの下部を拡大して示す縦断面図。
【図４】同ユニットの一部破断正面図。
【図５】図４の V-V線縦断面図。
【図６】図５の VI-VI線水平断面図。
【図７】ロール端部を拡大して示す平面図。
【図８】図７の VIII-VIII線縦断面図。
【図９】ユニット収容ハウジング内にユニットを２基設けた例を示す縦断面図。
【図１０】同上の平面図。
【符号の説明】
Ａ：粉粒物回収装置のユニット
１：ケーシング                ２：空気入口
３：空気出口                  ４：ロール
５：エンドレス濾材            ６：粉粒体の除去装置
７：軸                        ８：羽根
９：プーリ（スプロケット）  １０：ベルト（チェン）
１１：プーリ（スプロケット）  １２：プーリ（スプロケット）
１３：ベルト（チェン）        １４：プーリ（スプロケット）
１５：Ｖベルト                １６：Ｖベルト用の溝
１７：シール材                １８：Ｖベルト用の溝
１９：支持板                  ２０：テンションローラ
２１：支持体                  ２２：シール用ブロック
２３：ブロックの凹部          ２４：Ｖベルト用の溝
２５：ユニット収容ハウジング  ２６：ハウジング入口
２７：中央通路                ２８：左右通路
２９：風洞                    ３０：粉粒物回収用のトレー
【図１】
0004057694.tif 000002
【図２】
0004057694.tif 000003
【図３】
0004057694.tif 000004
【図４】
0004057694.tif 000005
【図５】
0004057694.tif 000006
【図６】
0004057694.tif 000007
【図７】
0004057694.tif 000008
【図８】
0004057694.tif 000009
【図９】
0004057694.tif 000010
【図１０】
0004057694.tif 000011